(57)【特許請求の範囲】
【請求項１】
少なくとも１つの端子を含む第１端部と、少なくとも１つの端子を含む第２端部と、前記第１端部と前記第２端部との間に配置され畳まれて重なり合っている畳み部と、を有するフレキシブル配線と、
前記第１端部を保持する第１支持枠と、
前記第１支持枠に対して第１方向に移動可能に配置され前記畳み部を保持する第２支持枠と、
を備え、
前記畳み部は、前記第１方向と異なる方向に畳まれており、
前記第２支持枠は、第１保持部と、前記第１保持部と向かい合って配置された第２保持部と、を有しており、
前記畳み部は、前記第１保持部と前記第２保持部との間に挿入され、前記畳み部が曲げられていることにより生じる復元力によって前記第１保持部に向かう方向と前記第２保持部に向かう方向に付勢され前記第２支持枠に保持されており、
前記第２保持部は、前記第１方向の端部に切欠きを有している、
レンズ鏡筒。
【請求項２】
前記第２保持部は、前記第１方向と垂直な第２方向に前記第１保持部と向かい合って配置されている、
請求項１に記載のレンズ鏡筒。
【請求項３】
前記第２保持部は、前記第１保持部よりも外周側に配置されており、前記第２支持枠の外周部を形成している、
請求項２に記載のレンズ鏡筒。
【請求項４】
前記第２支持枠は、前記畳み部と前記第１方向に当接可能に配置された第１規制部を有している、
請求項１から３のいずれかに記載のレンズ鏡筒。
【請求項５】
前記第１規制部は、前記第１保持部と前記第２保持部とを連結している、
請求項４に記載のレンズ鏡筒。
【請求項６】
前記第１保持部は、前記第１規制部から前記第１方向に延びており、
前記第２保持部は、前記第１規制部から前記第１方向に延びている、
請求項５に記載のレンズ鏡筒。
【請求項７】
前記フレキシブル配線は、前記畳み部と前記第２端部との間に配置された第２中間部を有しており、
前記第２支持枠は、前記第２中間部と前記第１方向に当接可能に配置された第２規制部を有している、
請求項１から６のいずれかに記載のレンズ鏡筒。
【請求項８】
前記フレキシブル配線は、前記畳み部と前記第１端部との間に配置された帯状の第１中間部を有しており、
前記切欠きは、前記第１中間部に対応する位置に配置されている、
請求項１から７のいずれかに記載のレンズ鏡筒。
【請求項９】
前記切欠きの幅は、前記第１中間部の幅よりも広い、
請求項８に記載のレンズ鏡筒。
【請求項１０】
前記第２保持部は、前記第１中間部の幅方向の基準位置を示す位置表示部を有している、
請求項８又は９に記載のレンズ鏡筒。
【請求項１１】
前記第２保持部は、前記第１保持部よりも前記第１方向に短い、
請求項１から１０のいずれかに記載のレンズ鏡筒。
【請求項１２】
前記第１保持部は、前記第１方向に平行に配置された第１保持面を有しており、
前記第２保持部は、前記第１方向に平行に配置された第２保持面を有しており、
前記畳み部は、前記第１保持面と前記第２保持面との間に挿入されている、
請求項１から１１のいずれかに記載のレンズ鏡筒。
【請求項１３】
前記第１保持面は、前記第１方向に平行な平面であり、
前記第２保持面は、前記第１方向に平行な平面である、
請求項１２に記載のレンズ鏡筒。
【請求項１４】
前記第２支持枠は、前記第２端部を保持している、
請求項１から１３のいずれかに記載のレンズ鏡筒。
【請求項１５】
前記畳み部は、前記第１方向と垂直である方向に畳まれている
請求項１に記載のレンズ鏡筒。
【請求項１６】
請求項１から１５のいずれかに記載のレンズ鏡筒を備えた撮像装置。
【発明の詳細な説明】
【技術分野】
【０００１】
ここに開示される技術は、レンズ鏡筒およびそれを用いた撮像装置に関する。
【背景技術】
【０００２】
近年、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  ｍｅｔａｌ−ｏｘｉｄｅ  Ｓｅｍｉｃｏｎｄｕｃｔｏｒ）センサ等の撮像素子を用いた撮像装置の普及が著しい。撮像装置としては、例えばデジタルスチルカメラやデジタルビデオカメラなどが挙げられる。一般に、撮像装置には、被写体の光学像を撮像素子に結像させるためのレンズ鏡筒が搭載されている。この種のレンズ鏡筒として、撮影をしない場合にレンズ鏡筒がカメラ本体に収納される沈胴式レンズ鏡筒が用いられている（例えば、特許文献１〜３参照）。
【先行技術文献】
【特許文献】
【０００３】
【特許文献１】特開２００８−１８５７８６号公報
【特許文献２】特開平０８−２５４６４６号公報
【特許文献３】特開平０５−１３４１５９号公報
【発明の概要】
【発明が解決しようとする課題】
【０００４】
例えば、特許文献２に記載のレンズ鏡筒は、ベース枠と、ベース枠に対して移動可能に配置された移動枠と、を有している。移動枠に装着された特定のユニットにフレキシブル配線が接続されている。フレキシブル配線は帯状の引き出し部を有しており、この引き出し部が移動枠からベース枠まで延びている。移動枠がベース枠に対して移動すると、それに伴いフレキシブル配線の引き出し部が張ったり緩んだりする。
【０００５】
しかし、移動枠に対して引き出し部の位置がずれると、移動枠が移動する際に引き出し部にねじれが生じ、フレキシブル配線が破損することも考えられる。
そこで、特許文献２に記載のレンズ鏡筒では、リベットなどの固定部材により引き出し部が移動枠に固定されている。
【０００６】
しかし、このような構成では、レンズ鏡筒の組立時に引き出し部を移動枠に装着するのに手間がかかる。
そこで、テープなどの粘着性のある材料で引き出し部を移動枠に固定することが提案されている。
【０００７】
しかし、例えば、経時変化や環境変化によりテープの粘着性が失われると、移動枠に対する引き出し部の位置がずれてしまう。
【課題を解決するための手段】
【０００８】
ここに開示されるレンズ鏡筒は、フレキシブル配線と、第１支持枠と、第２支持枠と、を備えている。フレキシブル配線は、第１端部と、第２端部と、畳み部と、を有している。第１端部は少なくとも１つの端子を含んでいる。第２端部は少なくとも１つの端子を含んでいる。畳み部は、第１端部と第２端部との間に配置されており、畳まれて重なり合っている。第１支持枠は第１端部を保持している。第２支持枠は、第１支持枠に対して第１方向に移動可能に配置されており、畳み部を保持している。
【０００９】
ここで、畳み部は、前記第１方向と異なる方向に畳まれている。第２支持枠は、第１保持部と、第１保持部と向かい合って配置された第２保持部と、を有している。畳み部は、第１保持部と第２保持部との間に、挿入される。畳み部が曲げられていることにより生じる復元力によって、畳み部は、第１保持部に向かう方向と第２保持部に向かう方向とに付勢され、第２支持枠に保持される。第２保持部は、第１方向の端部に、切欠きを有している。
【００１０】
このレンズ鏡筒では、第２支持枠が畳み部を保持しているので、経時変化や環境変化により第２支持枠に対するフレキシブル配線の装着状態が変化しにくくなる。また、場合によっては、テープなどの固定部材を用いることなく第２支持枠が畳み部を保持することができるので、第２支持枠に対するフレキシブル配線の装着状態が経時変化の影響を受けなくなる。
【発明の効果】
【００１１】
以上のように、このレンズ鏡筒では、フレキシブル配線の取り外しを容易にしつつ装着状態の安定性を高めることができる。
【図面の簡単な説明】
【００１２】
【図１】デジタルカメラの斜視図
【図２】レンズ鏡筒の断面図（広角端）
【図３】レンズ鏡筒の断面図（望遠端）
【図４】レンズ鏡筒の断面図（沈胴時）
【図５】直進枠および第２レンズ枠の分解斜視図
【図６】フレキシブル配線の展開図
【図７】フレキシブル配線の斜視図
【図８】第２レンズ枠の斜視図
【図９】図８の部分拡大図
【図１０】第２レンズ枠の斜視図
【図１１】図１０の部分拡大図
【図１２】第２レンズ枠の平面図
【図１３】図１２の部分拡大図
【図１４】フレキシブル配線および第２レンズ枠の平面図
【図１５】図１４の部分拡大図
【発明を実施するための形態】
【００１３】
＜デジタルカメラの構成＞
図１に示すように、デジタルカメラ１（撮像装置の一例）にはレンズ鏡筒１００（レンズ鏡筒の一例）が搭載されている。ここで、撮像装置としては、例えば撮像素子を用いたデジタルスチルカメラやデジタルビデオカメラが挙げられる。また、撮像素子としては、例えばＣＣＤイメージセンサやＣＭＯＳイメージセンサが挙げられる。
【００１４】
＜レンズ鏡筒の全体構成＞
レンズ鏡筒１００の全体構成について説明する。図２〜図４に示すように、レンズ鏡筒１００は、光学系Ｏと、固定鏡筒１１０（第１支持枠の一例）と、固定鏡筒１１０の内側に配置された移動鏡筒１２０と、ＣＣＤユニット２６０（撮像素子の一例）と、を備えている。
【００１５】
光学系Ｏは、第１レンズ群１４０ａ、第２レンズ群１４０ｂおよび第３レンズ群１４０ｃを有している。光学系Ｏは各レンズ群により定義される光軸Ｌを有している。以下、光軸Ｌに平行な方向を光軸方向とも言う。なお、光軸方向は、第２支持枠が第１支持枠に対して移動する第１方向の一例である。
【００１６】
第１〜第３レンズ群１４０ａ〜１４０ｃは、それぞれ複数枚のレンズを組み合わせて構成されている。なお、第１〜第３レンズ群１４０ａ〜１４０ｃは単一のレンズから構成されていてもよい。第１レンズ群１４０ａは被写体の光学像を取り込むためのレンズ群である。第２レンズ群１４０ｂはズーム調整に用いられる。第３レンズ群１４０ｃはフォーカス調整に用いられる。第１〜第３レンズ群１４０ａ〜１４０ｃの間隔を変化させることにより、ズームやフォーカスが調整される。
【００１７】
移動鏡筒１２０は、固定鏡筒１１０に対して前方（被写体側）に繰り出されたり、固定鏡筒１１０の内部に収納されたりする。具体的には、移動鏡筒１２０は、第１移動鏡筒１２０ａと、第２移動鏡筒１２０ｂと、第３移動鏡筒１２０ｃと、第２レンズ枠１３０ｂ（第２支持枠の一例）と、を有している。
【００１８】
第３移動鏡筒１２０ｃの内側に第２移動鏡筒１２０ｂが配置されており、第２移動鏡筒１２０ｂの内側に第１移動鏡筒１２０ａが配置されている。撮影時には、第３移動鏡筒１２０ｃに対して第２移動鏡筒１２０ｂが繰り出され、第２移動鏡筒１２０ｂに対して第１移動鏡筒１２０ａが繰り出される。また、沈胴時には、第３移動鏡筒１２０ｃに第２移動鏡筒１２０ｂが収納され、第２移動鏡筒１２０ｂに第１移動鏡筒１２０ａが収納される。このように、固定鏡筒１１０に対して第１〜第３移動鏡筒１２０ａ〜１２０ｃが前方に繰り出されたり、固定鏡筒１１０に第１〜第３移動鏡筒１２０ａ〜１２０ｃが収納されたりする。第１〜第３移動鏡筒１２０ａ〜１２０ｃが前方に繰り出された際は、第１移動鏡筒１２０ａが最前面に繰り出される。
【００１９】
＜レンズ鏡筒の詳細構成＞
次に、レンズ鏡筒１００について詳細に説明する。
図２〜図４に示すように、固定鏡筒１１０は、円筒状の固定枠２３０と、この固定枠２３０に固定されたマスターフランジ２４０と、を有している。固定枠２３０の内側に第３移動鏡筒１２０ｃが光軸方向に移動可能に配置されている。固定枠２３０により第３レンズ枠１３０ｃが光軸方向に移動可能に支持されている。マスターフランジ２４０の中心部には、ＣＣＤユニット２６０（撮像素子の一例）と、赤外線遮断用のＩＲカットガラス２５０と、が配置されている。
【００２０】
図２〜図４に示すように、第１移動鏡筒１２０ａは、第１レンズ枠１３０ａと、第１レンズ群１４０ａを保護するためのバリアユニット１５０と、を有している。第１レンズ枠１３０ａには第１レンズ群１４０ａが固定されている。バリアユニット１５０は第１レンズ枠１３０ａの前側（被写体側）に配置されている。このバリアユニット１５０は複数のバリア羽根１５０ａを有している。撮影時には、バリア羽根１５０ａが開き、第１レンズ群１４０ａに光が入射する（例えば、図２および図３参照）。非撮影時（つまり、沈胴時）には、バリア羽根１５０ａが閉じて、バリア羽根１５０ａにより第１レンズ群１４０ａが保護される（例えば、図４参照）。
【００２１】
図２〜図４に示すように、第２移動鏡筒１２０ｂは、円筒状のカメラカム枠１６０と、このカメラカム枠１６０の内側に配置された円筒状の直進枠１７０と、を有している。直進枠１７０の内側には第１移動鏡筒１２０ａが光軸方向に移動可能に配置されている。また、第２移動鏡筒１２０ｂにより第１移動鏡筒１２０ａおよび第２レンズ枠１３０ｂが光軸方向に移動可能に支持されている。具体的には、カメラカム枠１６０の内周面にはカム溝が形成されている。このカム溝により第１レンズ枠１３０ａおよび第２レンズ枠１３０ｂが光軸方向に案内される。この結果、カム溝の形状に応じて第１レンズ群１４０ａおよび第２レンズ群１４０ｂが光軸方向に移動する。直進枠１７０には直進溝が形成されている。この直進枠１７０により、第１レンズ群１４０ａおよび第２レンズ群１４０ｂが固定鏡筒１１０に対して回転することなく光軸方向に移動する。
【００２２】
図２〜図４に示すように、第３移動鏡筒１２０ｃは、円筒状の駆動枠２１０と、駆動枠２１０の内側に配置された貫通カム枠２２０と、を有している。貫通カム枠２２０の内側に第２移動鏡筒１２０ｂが光軸方向に移動可能に配置されている。
【００２３】
図２〜図４に示すように、第２レンズ枠１３０ｂには、例えばシャッターユニット１８０、手ブレ補正機構１８５および絞り機構（図示せず）が取り付けられている。シャッターユニット１８０は第２レンズ群１４０ｂの後側に配置されたシャッター１８０ａを有している。手ブレ補正機構１８５は第２レンズ群１４０ｂを光軸Ｌに垂直な面内で移動可能に支持している。第２レンズ枠１３０ｂにより第２レンズ群１４０ｂが保持されている、ということもできる。絞り機構は光学系Ｏの絞り調整を行う。シャッターユニット１８０、手ブレ補正機構１８５および絞り機構にはフレキシブル配線１９０を介してコントローラ（図示せず）から制御信号が伝達される。
【００２４】
＜フレキシブル配線の詳細構成＞
ここで、フレキシブル配線１９０について詳細に説明する。図２〜図４に示すように、フレキシブル配線１９０は、配線がプリントされたフィルム状の部材であり、移動鏡筒１２０および固定鏡筒１１０の内側に配置されている。図６に示すように、フレキシブル配線１９０は、第１端部１９０ｂ（第１端部の一例）、第２端部１９０ａ（第２端部の一例）、第１中間部１９３（第１中間部の一例）、第２中間部１９４（第２中間部の一例）および畳み部１９５（畳み部の一例）を有している。
【００２５】
第１端部１９０ｂは複数の端子１９１を含んでいる。第１端部１９０ｂの端子１９１は固定鏡筒１１０に配置された端子に接続されている。第１端部１９０ｂは固定鏡筒１１０により保持されている、ということもできる。
【００２６】
第２端部１９０ａは複数の端子１９２を含んでいる。第２端部１９０ａの端子１９２は第２レンズ枠１３０ｂに配置された複数の端子に接続されている。つまり、第２端部１９０ａは第２レンズ枠１３０ｂにより保持されている、ということもできる。
【００２７】
第１中間部１９３は第１端部１９０ｂと畳み部１９５との間に配置されている。第１中間部１９３は、第１中継部１９３ａ、装着部２７５および第２中継部１９３ｂを有している。装着部２７５は、第１端部１９０ｂおよび第２端部１９０ａの間に配置された中継端として機能しており、直進枠１７０により保持されている。第１中継部１９３ａは、真っ直ぐ延びる帯状の部分であり、第１端部１９０ｂと湾曲部２７０との間に配置されている。第２中継部１９３ｂは、真っ直ぐ延びる帯状の部分であり、湾曲部２７０と畳み部１９５との間に配置されている。
【００２８】
装着部２７５は湾曲部２７０および補強部材２８０を有している。湾曲部２７０は、Ｕ字状にカーブした部分であり、第１中継部１９３ａおよび第２中継部１９３ｂを連結している。補強部材２８０は湾曲部２７０に固定されている。湾曲部２７０は補強部材２８０とともに、直進枠１７０に形成されたスリット（図示せず）に挿入されている。補強部材２８０には複数の孔２８１（図６参照）が形成されている。例えば、直進枠１７０に形成された複数の突起（図示せず）が孔２８１に嵌り込んでいる。これにより、補強部材２８０は直進枠１７０から光軸方向に脱落しにくくなっている。
【００２９】
第１端部１９０ｂから第２端部１９０ａまでの長さ（より詳細には、第１中継部１９３ａの長さおよび第２中継部１９３ｂの長さ）は、第２レンズ枠１３０ｂおよび直進枠１７０の動きに影響を及ぼさない程度に長く設定されている。図３に示すように、第２レンズ枠１３０ｂが固定鏡筒１１０から最も離れたとき、フレキシブル配線１９０が軽く張った状態となる。図４に示すように、第２レンズ枠１３０ｂが固定鏡筒１１０に近づいたとき、フレキシブル配線１９０が緩んだ状態となる。なお、図４に示す沈胴状態では、第１中継部１９３ａは第２移動鏡筒１２０ｂとマスターフランジ２４０との間、および第３移動鏡筒１２０ｃとマスターフランジ２４０との間、を通っている。さらに、第２中継部１９３ｂは第１レンズ枠１３０ａとマスターフランジ２４０との間を通っている。
【００３０】
畳み部１９５は、帯状の部分が複数回にわたり曲げられ重なり合って形成されている。例えば図６および図７に示すように、フレキシブル配線１９０は第１曲げ線Ｆ１、第２曲げ線Ｆ２および第３曲げ線Ｆ３で曲げられている。本実施形態では、３枚の帯状の部分が重なり合って畳み部１９５が形成されている。以下に説明するように、畳み部１９５は第２レンズ枠１３０ｂにより保持されている。
【００３１】
＜第２レンズ枠の詳細構成＞
第２レンズ枠１３０ｂは畳み部１９５の復元力を利用して畳み部１９５を保持している。ここで、「復元力」とは畳み部１９５が元に戻ろうとする力であり、主にフレキシブル配線１９０により発生する力である。例えば、フレキシブル配線１９０を自由状態にした場合、フレキシブル配線１９０の弾性力により畳み部１９５では図７に示す力Ｈが発生する。
【００３２】
図８〜図１５に示すように、第２レンズ枠１３０ｂは、本体部２０２、収納壁２０１（第２保持部の一例）、規制壁２０４（第１規制部の一例）および規制突起２０３（第２規制部の一例）を有している。第２レンズ枠１３０ｂは樹脂などにより一体成形されている。
【００３３】
本体部２０２は、第２レンズ枠１３０ｂの主要部を構成しており、シャッターユニット１８０および手ブレ補正機構１８５を支持している。本体部２０２の外周部の大部分は、光軸Ｌ周りに概ね円弧状に形成されているが、一部が平板状に形成されている。具体的には、本体部２０２は平板状に形成されたベース部２０５（第１保持部の一例）を有している。
【００３４】
ベース部２０５は、フレキシブル配線１９０の畳み部１９５を保持するために設けられており、第２レンズ枠１３０ｂの円周方向に沿って配置されている。ベース部２０５は、本体部２０２から光軸方向に延びている。ベース部２０５が規制壁２０４から光軸方向に延びている、ということもできる。ベース部２０５は光軸方向に平行に配置されたベース面２０５ｆ（第１保持面の一例）を有している。ベース面２０５ｆは光軸方向に平行な平面である。
【００３５】
収納壁２０１は、フレキシブル配線１９０の畳み部１９５を保持するために設けられており、ベース部２０５の一部を覆うように形成されている。具体的には、収納壁２０１は第１収納壁２０１ａ（第１保持部の一例）および第２収納壁２０１ｂ（第１保持部の一例）を有している。第１収納壁２０１ａおよび第２収納壁２０１ｂは、第２レンズ枠１３０ｂの半径方向（光軸方向と垂直な第２方向の一例）にベース部２０５と向かい合って配置されている。第１収納壁２０１ａおよび第２収納壁２０１ｂは第２レンズ枠１３０ｂの円周方向に隙間を介して互いに並んで配置されている。
【００３６】
第１収納壁２０１ａは規制壁２０４の第１規制壁２０４ａ（後述）から光軸方向に延びており、第２収納壁２０１ｂは規制壁２０４の第２規制壁２０４ｂから光軸方向に延びている。畳み部１９５はベース部２０５と収納壁２０１との間に挿入されている。具体的には、畳み部１９５は、ベース部２０５と第１収納壁２０１ａとの間に挿入されており、さらにベース部２０５と第２収納壁２０１ｂとの間にも挿入されている。
【００３７】
より詳細には、図１２〜図１５に示すように、第１収納壁２０１ａは光軸方向に平行に配置された第１平面２０１ｇ（第２保持面の一例）を有しており、第２収納壁２０１ｂは光軸方向に平行に配置された第２平面２０１ｈ（第２保持面の一例）を有している。第１平面２０１ｇおよび第２平面２０１ｈは、ベース面２０５ｆと向かい合って配置されている。第１平面２０１ｇおよび第２平面２０１ｈは、光軸方向に平行な平面であり、ベース面２０５ｆと概ね平行に配置されている。畳み部１９５はベース面２０５ｆと第１平面２０１ｇとの間に挿入されており、さらに、ベース面２０５ｆと第２平面２０１ｈとの間にも挿入されている。
【００３８】
収納壁２０１は光軸方向の端部に形成された切欠き２０１ｅを有している。図１５に示すように、切欠き２０１ｅは第１中間部１９３に対応する位置に配置されている。切欠き２０１ｅの幅Ｈ１は第１中間部１９３の幅Ｈ２よりも広い。なお、本実施形態では、第１収納壁２０１ａおよび第２収納壁２０１ｂは完全に別々の部分となっているが収納壁２０１を一体の部材と考えて切欠き２０１ｅを定義する。収納壁２０１に切欠き２０１ｅが形成されているので、収納壁２０１はベース部２０５よりも光軸方向に短い部分を有している。本実施形態では、第１収納壁２０１ａの一部および第２収納壁２０１ｂがベース部２０５よりも光軸方向に短くなっている。
【００３９】
さらに、収納壁２０１は、第１中間部１９３の幅方向の基準位置を示す第１位置表示部２０１ｃ（位置表示部の一例）および第２位置表示部２０１ｄ（位置表示部の一例）を有している。第１位置表示部２０１ｃは第１収納壁２０１ａに形成されており、第２位置表示部２０１ｄは第２収納壁２０１ｂに形成されている。本実施形態では、第１位置表示部２０１ｃおよび第２位置表示部２０１ｄは光軸方向に窪んだ凹部である。組立時において、第１位置表示部２０１ｃと第２位置表示部２０１ｄとの間に第１中間部１９３が配置されるように、畳み部１９５がベース部２０５と収納壁２０１との間に挿入される。このように第１中間部１９３の位置の目印を設けることで、畳み部１９５および第１中間部１９３を第２レンズ枠１３０ｂの特定の位置に配置するのが容易となり、第１中間部１９３がねじれなどにより破損するのを防止できる。
【００４０】
なお、第１位置表示部２０１ｃおよび第２位置表示部２０１ｄは、突起やスリットなどの他の形状を有していてもよい。また、第１中間部１９３の位置が分かれば、第１位置表示部２０１ｃおよび第２位置表示部２０１ｄのうちいずれか一方だけでもよい。
【００４１】
規制壁２０４は畳み部１９５と光軸方向に当接可能に配置されている。規制壁２０４は第１規制壁２０４ａ（第１規制部の一例）および第２規制壁２０４ｂ（第２規制部の一例）を有している。第１規制壁２０４ａはベース部２０５と第１収納壁２０１ａとを連結しており、第２規制壁２０４ｂはベース部２０５と第２収納壁２０１ｂとを連結している。第１規制壁２０４ａはベース部２０５から半径方向外側に突出しており、第１規制壁２０４ａから第１収納壁２０１ａが光軸方向に延びている。同様に、第２規制壁２０４ｂはベース部２０５から半径方向外側に突出しており、第２規制壁２０４ｂから第２収納壁２０１ｂが光軸方向に延びている。
【００４２】
規制突起２０３は第２中間部１９４と光軸方向に当接可能に配置されている。具体的には、規制突起２０３は、収納部２００に隣接して配置された突起であり、本体部２０２から半径方向外側に突出している。規制突起２０３の光軸方向の位置は第１規制壁２０４ａおよび第２規制壁２０４ｂの光軸方向の位置と異なっている。具体的には、第１規制壁２０４ａおよび第２規制壁２０４ｂが本体部２０２の前側（被写体側）に配置されているのに対して、規制突起２０３は本体部２０２の後側（被写体と反対側）に配置されている。規制壁２０４と規制突起２０３との間の光軸方向の距離は第２中間部１９４の幅と同じくらいに設定されている。また、規制突起２０３の円周方向の位置は、第１規制壁２０４ａおよび第２規制壁２０４ｂの円周方向の位置と異なっている。具体的には、光軸方向から見た場合に規制突起２０３は規制壁２０４の側方に配置されている。フレキシブル配線１９０の第２中間部１９４および畳み部１９５は、規制壁２０４および規制突起２０３の間で光軸方向に保持されている。
【００４３】
畳み部１９５は収納部２００に光軸方向から挿入されており、第２中間部１９４が規制突起２０３に引っ掛けられている。より詳細には、畳み部１９５は収納部２００に後側から挿入されている。このような構成にすることで、第２レンズ枠１３０ｂおよび直進枠１７０の移動範囲を広く確保しやすくなる。同様に、湾曲部２７０は直進枠１７０のスリットに後側から挿入されている。このような構成にすることで、第２レンズ枠１３０ｂおよび直進枠１７０の移動範囲を広く確保しやすくなる。
【００４４】
＜レンズ鏡筒の動作＞
図２〜図４を用いてレンズ鏡筒１００の動作について説明する。図２に示すように、広角端では固定鏡筒１１０から第１〜第３移動鏡筒１２０ａ〜１２０ｃが繰り出される。図３に示すように、望遠端では第１〜第３移動鏡筒１２０ａ〜１２０ｃが最も繰り出されている。このとき、直進枠１７０が固定鏡筒１１０から最も離れ、かつ、第２レンズ枠１３０ｂが固定鏡筒１１０から最も離れる。したがって、フレキシブル配線１９０の第１中継部１９３ａおよび第２中継部１９３ｂは最も張った状態となる。
【００４５】
一方、図４に示すように、非撮影時（沈胴時）においては固定鏡筒１１０に第１〜第３移動鏡筒１２０ａ〜１２０ｃが収納されている。このとき、直進枠１７０は固定鏡筒１１０のマスターフランジ２４０に近づき、かつ、第２レンズ枠１３０ｂは固定鏡筒１１０のマスターフランジ２４０に近づく。このため、フレキシブル配線１９０の第１中継部１９３ａおよび第２中継部１９３ｂは緩んだ状態となる。
【００４６】
＜レンズ鏡筒の特徴＞
以上に説明したレンズ鏡筒１００の特徴を以下にまとめる。
（１）レンズ鏡筒１００では、畳み部１９５の復元力を利用して第２レンズ枠１３０ｂが畳み部１９５を保持している。具体的には、畳み部１９５がベース部２０５と収納壁２０１との間に挿入されているので、畳み部１９５の復元力により畳み部１９５がベース部２０５および収納壁２０１に押し付けられる。このような構成にすることで、経時変化や環境変化により第２レンズ枠１３０ｂに対するフレキシブル配線１９０の装着状態が変化しにくくなる。また、場合によっては、テープなどの固定部材を用いることなく第２レンズ枠１３０ｂが畳み部１９５を保持することができるので、第２レンズ枠１３０ｂに対するフレキシブル配線１９０の装着状態が経時変化の影響を受けなくなる。
【００４７】
以上のように、レンズ鏡筒１００では、フレキシブル配線１９０の取り外しを容易にしつつ装着状態の安定性を高めることができる。
（２）収納壁２０１は第２レンズ枠１３０ｂの半径方向（第２方向の一例）にベース部２０５と向かい合って配置されている。収納壁２０１は、ベース部２０５よりも外周側に配置されており、第２レンズ枠１３０ｂの外周部を形成している。したがって、畳み部１９５が収納壁２０１とベース部２０５との間に挿入されている状態では、収納壁２０１により畳み部１９５が保護されている。このような構成にすることで、第２レンズ枠１３０ｂの外周側の近くを他の部材が移動しても、収納壁２０１により畳み部１９５が他の部材と直接接触するのを抑制でき、フレキシブル配線１９０の損傷を抑制することができる。
【００４８】
（３）畳み部１９５が規制壁２０４と光軸方向に当接可能に配置されているので、第２レンズ枠１３０ｂに対する畳み部１９５の光軸方向の位置が安定する。これにより、第２レンズ枠１３０ｂの移動の有無に関わらず、第２レンズ枠１３０ｂに対するフレキシブル配線１９０の位置が安定する。
【００４９】
また、規制壁２０４がベース部２０５と収納壁２０１とを連結しているので、ベース部２０５、収納壁２０１および規制壁２０４により形成される収納部２００の強度を高めつつ、畳み部１９５の光軸方向の位置を安定させることができる。
【００５０】
さらに、規制突起２０３が第２中間部１９４と光軸方向に当接可能に配置されているので、第２中間部１９４の光軸方向の位置が安定する。これにより、第２レンズ枠１３０ｂの移動の有無に関わらず、第２レンズ枠１３０ｂに対するフレキシブル配線１９０の位置が安定する。
【００５１】
（４）収納壁２０１が切欠き２０１ｅを有しているので、畳み部１９５を中心とする第１中間部１９３の可動範囲を広く確保することができる。これにより、第２レンズ枠１３０ｂが光軸方向に移動する際に、畳み部１９５から引き出された第１中間部１９３に作用する引っ張り力を緩和できる。
【００５２】
（５）収納壁２０１が第１位置表示部２０１ｃおよび第２位置表示部２０１ｄを有しているので、畳み部１９５をベース部２０５および収納壁２０１の間に挿入する際に、畳み部１９５あるいは第１中間部１９３の位置を第１位置表示部２０１ｃおよび第２位置表示部２０１ｄを基準に決めることができる。これにより、レンズ鏡筒１００の組立性が向上する。
【００５３】
（６）ベース面２０５ｆおよび第２保持面２０１ｆの間に畳み部１９５が挿入されているので、畳み部１９５と第２レンズ枠１３０ｂとの接触面積を広く確保することができ、第２レンズ枠１３０ｂに対する畳み部１９５の姿勢や位置が安定しやすくなる。
【００５４】
（７）フレキシブル配線１９０の第２端部１９０ａが第２レンズ枠１３０ｂに保持されているので、第２端部１９０ａから畳み部１９５までの部分（つまり、第２中間部１９４）が第２レンズ枠１３０ｂに保持される。したがって、第２レンズ枠１３０ｂに対する畳み部１９５の姿勢や位置がさらに安定しやすくなる。
【００５５】
＜他の実施形態＞
本発明の実施形態は、前述の実施形態に限られず、本発明の趣旨を逸脱しない範囲で種々の修正および変更が可能である。また、前述の実施形態は、本質的に好ましい例示であって、本発明、その適用物、あるいはその用途の範囲を制限することを意図するものではない。
【００５６】
（１）フレキシブル配線１９０の構成は前述の実施形態に限定されない。例えば、第１端部１９０ｂは少なくとも１つの端子を含んでいればよく、第２端部は少なくとも１つの端子を含んでいればよい。
【００５７】
また、前述の実施形態では、畳み部１９５はフレキシブル配線１９０のうち３枚の帯状の部分が重なり合って形成されているが、畳み部１９５は２つ以上の部分が重なり合っていればよい。
【００５８】
なお、フレキシブル配線１９０は湾曲部２７０を有しているが、湾曲部２７０が省略されていてもよい。この場合、第１端部１９０ｂおよび畳み部１９５が第１中継部１９３ａにより連結される。
【００５９】
（２）収納部２００には光軸方向（第１方向の一例）から畳み部１９５が挿入されているが、畳み部１９５の挿入方向は光軸方向に限定されない。
（３）収納部２００は第２レンズ枠１３０ｂに設けられているが、収納部２００は第１移動鏡筒１２０ａ、第２移動鏡筒１２０ｂあるいは第３移動鏡筒１２０ｃに設けられていてもよい。また、第２端部１９０ａと畳み部１９５とが同じ支持枠に保持されているが、それぞれ別々の支持枠に保持されていてもよい。
【産業上の利用可能性】
【００６０】
本発明は、デジタルスチルカメラやデジタルビデオカメラの撮像装置に用いられるレンズ鏡筒に適用可能である。
【符号の説明】
【００６１】
１  デジタルカメラ（撮像装置の一例）
１００    レンズ鏡筒（レンズ鏡筒の一例）
１１０    固定鏡筒（第１支持枠の一例）
１２０    移動鏡筒
１２０ａ    第１移動鏡筒
１２０ｂ    第２移動鏡筒
１２０ｃ    第３移動鏡筒
１３０ａ    第１レンズ枠
１３０ｂ    第２レンズ枠（第２支持枠の一例）
１３０ｃ    第３レンズ枠
１４０ａ    第１レンズ群
１４０ｂ    第２レンズ群
１４０ｃ    第３レンズ群
１９０    フレキシブル配線（フレキシブル配線の一例）
１９０ａ  第２端部（第２端部の一例）
１９０ｂ  第１端部（第１端部の一例）
１９３  第１中間部（第１中間部の一例）
１９４  第２中間部（第２中間部の一例）
１９５  畳み部（畳み部の一例）
２００    収納部
２０１    収納壁（第２保持部の一例）
２０１ａ  第１収納壁（第２保持部の一例）
２０１ｂ  第２収納壁（第２保持部の一例）
２０１ｃ  第１位置表示部（位置表示部の一例）
２０１ｄ  第２位置表示部（位置表示部の一例）
２０１ｅ  切欠き（切欠きの一例）
２０２    本体部
２０３    規制突起（第２規制部の一例）
２０４    規制壁（第１規制部の一例）
２０４ａ  第１規制壁（第１規制部の一例）
２０４ｂ  第２規制壁（第１規制部の一例）
２０５    ベース部（第１保持部の一例）
２０５ｆ  ベース面（第１保持面の一例）
２１０    駆動枠
２２０    貫通カム枠
２３０    固定枠
２４０    マスターフランジ
２５０    ＩＲカットガラス
２６０    ＣＣＤユニット（撮像素子の一例）
【図１】
0005577173.tif 000002
【図２】
0005577173.tif 000003
【図３】
0005577173.tif 000004
【図４】
0005577173.tif 000005
【図５】
0005577173.tif 000006
【図６】
0005577173.tif 000007
【図７】
0005577173.tif 000008
【図８】
0005577173.tif 000009
【図９】
0005577173.tif 000010
【図１０】
0005577173.tif 000011
【図１１】
0005577173.tif 000012
【図１２】
0005577173.tif 000013
【図１３】
0005577173.tif 000014
【図１４】
0005577173.tif 000015
【図１５】
0005577173.tif 000016